(57)【要約】【目的】愛玩動物の排便、排尿などの悪臭を周囲に拡散しないための脱臭機能付きペット用ボックスを提供する。【構成】分解可能な上箱部１と下箱部２で構成した本体ボックス部４と、この本体ボックス部４に着脱自在に設けられ、ファンモータ５、フィルター６、脱臭要素７、制御回路８から構成された脱臭機９と、前記上箱部１に設けられたドア３と、このドア３から入退室する動物を検知する検知手段１３とを備え、前記脱臭機９は、前記検知手段１３の検知後一定時間作動するように制御回路８で制御する。【選択図】　図１
2004024180.tif 000002
【特許請求の範囲】
【請求項１】
分解可能な上箱部（１）と下箱部（２）で構成した本体ボックス部（４）と、この本体ボックス部（４）に着脱自在に設けられ、ファンモータ（５）、フィルター（６）、脱臭要素（７）、制御回路（８）から構成された脱臭機（９）と、前記上箱部（１）に設けられたドア（３）と、このドア（３）から入退室する動物を検知する検知手段（１３）とを備え、前記脱臭機（９）は、前記検知手段（１３）の検知後一定時間作動するように制御回路（８）で制御することを特徴とする脱臭機能付きペット用ボックス。
【請求項２】
上箱部（１）の上部に着脱式の脱臭機（９）を設けたことを特徴とする請求項１記載の脱臭機能付きペット用ボックス。
【請求項３】
脱臭要素（７）は、化学的脱臭要素（１１）と物理的脱臭要素（１２）を組み合わせたものであることを特徴とする請求項１記載の脱臭機能付きペット用ボックス。
【請求項４】
検知手段（１３）は、ドア（３）の開閉を検知することを特徴とする請求項１記載の脱臭機能付きペット用ボックス。
【請求項５】
ドア（３）近傍の本体ボックス部（４）内部に砂落とし部（１９）を設けたことを特徴とする請求項１記載の脱臭機能付きペット用ボックス。
【発明の詳細な説明】
【０００１】
【発明の属する技術分野】
本発明は犬、ネコなどのペットを飼育したり、運搬したり、トイレとして用いるなどを目的とする脱臭機能を有するペット用ボックスに関するものである。
【０００２】
【従来の技術】
近年、猫、犬などの愛玩動物を室内で飼う人が多くなり、そのため愛玩動物の排便、排尿などの臭いが問題になってきている。
【０００３】
従来これらの対策として臭いを消すためにペットハウスの中に脱臭剤を設置したり、また、臭気を排気するファンと消臭フィルターとを設置したペット用便器（実開平１−７２０６７号公報）や、筐体内に設けた脱臭空間から臭気が漏れないようにエアカーテン流を形成した脱臭装置（特開２００２−１２６０５４号公報）等が提案されている。
【０００４】
【発明が解決しようとしている課題】
上記従来例の最初に上げたペットハウスの中に脱臭剤を設置したものは、ペットハウス内の空気の自然な拡散を利用して臭気を脱臭しようとするものであるが、脱臭するのに時間が掛かり、また、周囲の風により臭気が漏れることがあり、完全に脱臭することは不可能であった。
【０００５】
従来例の次に上げたペット用便器では、出入り口のドアなどが無く、ペットが用便を済ませた後、人手によって蓋体を閉じる構造の場合、蓋体を閉じるまでの間臭気が拡散しやすく、脱臭の効果が十分あがらないものであった。
【０００６】
また、筐体に脱臭機が内蔵されていて、筐体が便や尿で汚れたときに脱臭機を取りはずすことができない構造であると、筐体を十分に水洗浄ができなくなるなどの不便があった。
【０００７】
また、脱臭するため送風機を作動させるのに手動でスイッチを入れたり、切ったりしなければならないため、非常に手間のかかるものであった。
【０００８】
また、ペット用便器から動物が出るとき足に付着した便床としている砂などが、ペット用便器外の畳やじゅうたんなどに飛散しやすいものであった。
【０００９】
また、脱臭要素として化学的脱臭要素だけでは、硫黄化合物以外のアンモニアやアセトアルデヒドなどの臭気物質に対しては、脱臭効果が不十分であった。
【００１０】
従来例の３番目に示す脱臭装置では、脱臭機の吸い込み口の設置位置が下部であるため、動物の小便、糞便などが、脱臭機の吸い込み部にかかりやすく、汚染され易いなどの不具合があった。
【００１１】
また、筐体に脱臭機が内蔵されているため、筐体が便や尿で汚れたとき脱臭機を取りはずすことができずに、筐体を十分に水洗浄ができないなどの不便があった。
【００１２】
また、脱臭機から動物が出るとき足に付着した便床としている砂などが、筐体外の畳やじゅうたんなどに飛散しやすいものであった。
【００１３】
【課題を解決するための手段】
本発明は、上記の課題を解決するために、操作の手間がかからず十分な脱臭が行われ、動物にとっても安全な、脱臭機能付きのペット用ボックスを提供しようとするものである。
【００１４】
その具体的手段として、分解可能な上箱部と下箱部で構成した本体ボックス部と、この本体ボックス部に着脱自在に設けたファンモータ、フィルター、脱臭要素、制御回路から構成される脱臭機と、前記上箱部に設けたドアと、このドアから入退室する動物を検知する検知手段とを備え、前記脱臭機は、前記検知手段の検知後一定時間作動するように制御回路で制御するようにする。
【００１５】
【発明の実施の形態】
以下、本発明について、実施例を基に詳細に説明する。
【００１６】
図１は、本発明の一実施例を示す脱臭機能付きペット用ボックスの外観斜視図、図２は、同脱臭機能付きペット用ボックス内部の砂落とし部斜視図、図３は、同脱臭機能付きペット用ボックスの脱臭機の内部構造図、図４は、同脱臭機能付きペット用ボックスの脱臭機の外観図、図５は、同脱臭機能付きペット用ボックスのドアの検知手段側面図、図６は、同脱臭機能付きペット用ボックスの制御回路のブロック図である。
【００１７】
図１において、本体ボックス部４は、分解可能な上箱部１と下箱部２で構成されプラスチック成形品などより作成されている。前面にはペットが出入りする出入り口があり、その出入口にはドア３が開閉自在に取り付けられていて、動物がドア３を押して出入りする際に開閉するもので、ドアの開放度が少なく臭いが外部に拡散しにくい構造となっている。
【００１８】
ドア３には、図５に示すようなドア３の開又は閉の際動作するマイクロスイッチ１５からなる検知手段１３が設置されている。
【００１９】
また、図３に示すようなファンモータ５、フィルター６、脱臭要素７、制御回路８などから構成された脱臭機９が本体ボックス部４内部の臭気を脱臭して外部へ排出するように上箱部１の上部に脱着自在に設けられている。
【００２０】
この脱臭機９と上箱部１との脱着構造は、図４に示すように脱臭機９の下部にスプリングとラチェット等よりなる脱着機構１０を設けてあり、相対する上箱部１の上面に設けた穴部にはめ込むことによって、上箱部１から脱臭機９を簡単に脱着することができる。
【００２１】
また、脱臭機９は、図３に示すようにシロッコファンなどからなるファンモータ５と、ファンモータ５の吸い込み口に設けたゴミや毛などを除去するフィルター６と、脱臭する要素である化学的脱臭要素１１及び物理的脱臭要素１２からなる脱臭要素７と、制御回路８から構成されている。
【００２２】
なお、化学的脱臭要素１１には例えば触媒により酸化する方法を用いるが、触媒酸化法に使用される金属には白金、パラジウム、を活性金属とした貴金属触媒や、銅、マンガン、クロム、ニッケル、鉄などの酸化物材料があり、化学的脱臭要素１１の形状としては多孔質アルミナを担体とする粒状またはペレット状触媒コージライト組成のハニカム触媒、金属発泡体などを担体とした金属触媒、ワイヤ状触媒、繊維クロス状触媒などがある。本実施例では動物の糞尿から発生する臭気として主要な悪臭要素である硫化水素、メチルメルカプタン、硫化メチル、二硫化ジメチル等の脱臭に効果のあるマンガン系触媒を使用することとし、圧力損失の小さいハニカム状の多孔質アルミナ磁器に、低温で触媒活性が得られるマンガン系酸化物材料をプラズマ溶射や塗布高温焼成等の方法により担持させる。マンガン系材質としては二酸化マンガンなどを用いる。
【００２３】
物理的脱臭要素１２は吸着による方法とし、本実施例では活性炭を用いている。
【００２４】
制御回路８は、図６に示すように動物の入退室する際のドア３の動きによって作動するマイクロスイッチ１５と、マイクロスイッチ１５の信号を成形するパルス発生回路２５と、動物の有無検知後ファンモータ５を一定時間動作させるためのタイマー回路１４と、ファンモータ５を駆動するモータ駆動回路１６と、回路に直流電圧を供給する電源回路１７と電源コード２４から構成されている。
【００２５】
次に、動物の入退室検知動作について説明する。図５に示すように、ドア３が開閉するとき、ドア３がＡ方向又はＢ方向に動く度に、ドア開閉検知バネ２２が駆動ピン２３を押し下げてマイクロスイッチ１５を動作させ、スイッチが閉じ検知信号を発生する。次にこの検知パルスによって、タイマー回路１４がスタートし、時間のカウントが始まる。それと同時にタイマー回路１４の出力信号がモータ駆動回路１６に入り、モータ駆動回路１６からファンモータ５に出力信号が出され、ファンモータ５が回転し、吸気部２０から本体ボックス部４内部の悪臭を吸入する。タイマー回路１４は一定時間後、停止信号を発生し、モータ駆動回路１６を経由して信号が伝わり、ファンモータ５を自動的に停止させる。
【００２６】
砂落とし部１９は、ドア３の近傍に設けられていて、格子状形状をしている。この砂落とし部１９の働きは次のようなものである。本体ボックス部４の内部には尿などの排泄物を吸収し固めるために粒状の敷砂を敷いて使用している。材質はおがくずや高吸水性ポリマーなどを原料としたものである。ところが、使用しているうちに、敷砂が砕けて粉になった部分が動物の足の裏に付着して、出入りの際に部屋内に散らばることがあり、この対策として出入り口のドア３近傍に設けた格子状の砂落とし部１９が有効である。この砂落とし部１９は、多数の格子状部分からなり、動物がこの砂落とし部１９の表面を歩く際、足の裏に付いた砂が落ち、下箱部２内へ落下するようにしている。
【００２７】
本発明は以上の構成より成っていて、次にその動作を説明する。
【００２８】
本体ボックス部４を部屋に置き、電源コード２４をＡＣ電源に入れた後、本体ボックス部４のドア３を開けて筐体内部に動物が入ると、動物が入ったことを検知する検知手段１３の信号により制御回路１５のタイマー回路１４が動作して予め設定された一定時間脱臭機９のファンモータ５が作動を開始する。次に内部に入った動物が外に出るときドア３を通過するのを検知手段１３が検知すると、その信号により再度タイマー回路１４が動作し、予め設定された一定時間脱臭機９のファンモータ５が作動しその後停止する。
【００２９】
本体ボックス部４内の臭気を上箱部１の上部に取り付けた脱臭機９の吸気口２０からファンモータ５によって吸い込まれた臭気は、まず化学的脱臭要素である化学的脱臭要素１１に導かれると低温酸化触媒の作用によって、メチルメルカプタンや、硫化水素などの臭気成分が酸化されて無臭の成分に変化する。更に物理的脱臭要素１２の活性炭層に導かれて、アンモニア、アセトアルデヒド等の成分が活性炭に吸着され、それらの臭気が無臭となる。
【００３０】
この無臭化された空気が排気口２１から室内に排出される。動物が排泄行為をして立ち去った後も設定されたタイマー時間の間、脱臭機能が作動しているため十分に脱臭することができる。脱臭機の作動時間はタイマーにより決めるが、おおよそ３分から１０分で十分脱臭可能である。
【００３１】
また脱臭機能は特定の時間作動後、自動的に停止するため、無駄に電力を消費することが無い。
【００３２】
【発明の効果】
以上のように本発明によれば、動物の入退室を検知することによって、脱臭機の作動開始を自動化できるとともに、特定の時間作動後に自動的に停止するため、操作の手間がかからず、十分な脱臭が行われるとともに、無駄に電力を消費することもない。
【００３３】
また、脱臭機の設置位置が上部であるため動物の小便、糞便などが脱臭機にかかりにくく、汚れ難くなるとともに、脱臭機を本体ボックス部から脱着自在にしたことにより上箱部や下箱部が汚物で汚れた場合には脱臭機を分離し、十分に洗浄、清掃することができる。
【００３４】
また、脱臭の方式を触媒式などによる化学的脱臭と、活性炭などによって臭気を吸着する物理的脱臭とを組み合わせることによってメチルメルカプタン等の硫黄化合物のみならず、アンモニアやホルムアルデヒドなどの臭気に対しても吸着による脱臭作用が加わるため、犬、猫などのペットの小便や糞便の臭いを確実に脱臭できるようになり脱臭効果が高いものとすることができる。
【００３５】
また、入退室をマイクロスイッチで検知することによって簡単で安価な方式とすることが可能となる。
【００３６】
また、出入り口内部に砂落とし構造を設けたことによりボックス外の畳やじゅうたんに砂が飛散することが少なくなり清潔に使用できる。
【図面の簡単な説明】
【図１】本発明の一実施例を示す脱臭機能付きペット用ボックスの外観斜視図である。
【図２】同、脱臭機能付きペット用ボックス内部の砂落とし部斜視図である。
【図３】同、脱臭機能付きペット用ボックスの脱臭機の内部構造である。
【図４】同、脱臭機能付きペット用ボックスの脱臭機の外観図である。
【図５】同、脱臭機能付きペット用ボックスのドアの検知手段側面図である。
【図６】同、脱臭機能付きペット用ボックスの制御回路のブロック図である。
【符号の説明】
１　上箱部
２　下箱部
３　ドア
４　本体ボックス部
５　ファンモータ
７　脱臭要素
８　制御回路
９　脱臭機
１１　化学的脱臭要素
１２　物理的脱臭要素
１９　砂落とし部
【図１】
2004024180.tif 000003
【図２】
2004024180.tif 000004
【図３】
2004024180.tif 000005
【図４】
2004024180.tif 000006
【図５】
2004024180.tif 000007
【図６】
2004024180.tif 000008